(57)【要約】【技術分野】【課題】不使用時等に、分解あるいは小さく折り畳むことができるとともに、種々の袋部材を使用でき、また、把手の下端部が排泄物で汚れる恐れのない排泄物処理具を提供する。【解決手段】ペット用排泄物処理具１は、先端部に挟み部１２を有するとともに所定間隔をあけて略平行に配置された一対の棒状部４，５と、上記棒状部に掛け渡し状に設けられる把手連結部６と、上下方向中間部ないし下端部に挟み部２５を備えるとともに上記把手連結部から上方に延出して設けられた把手部３とを備え、上記一対の棒状部間に、上記挟み部によって保持される袋部材１４を掛け渡し状に設けて構成される。【選択図】図１
0003126069.tif 000002
【実用新案登録請求の範囲】
【請求項１】
先端部に挟み部を有するとともに所定間隔をあけて略平行に配置された一対の棒状部と、
上記棒状部に掛け渡し状に設けられる把手連結部と、
上下方向中間部ないし下端部に挟み部を備えるとともに上記把手連結部から上方に延出して設けられた把手部とを備え、
上記一対の棒状部間に掛け渡し状に設置される所定の袋部材を上記挟み部によって保持できるように構成した、ペット用排泄物処理具。
【請求項２】
上記把手部は、複数のパイプ部材を入れ子状に連結することにより伸縮可能に構成されている、請求項１に記載のペット用排泄物処理具。
【請求項３】
上記棒状部の上記把手連結部を連結した側と反対側に掛け渡し状に連結されるリンク部を備え、
上記一対の棒状部と、上記把手連結部と、上記リンク部とによって折り畳み可能な平行四辺形リンク機構を構成するとともに、
上記把手部が上記把手連結部に折り畳み回動可能に連結されている、請求項１又は請求項２のいずれかに記載のペット用排泄物処理具。
【請求項４】
上記把手部は、上記平行四辺形リンク機構の折り畳み面に対して直交する軸回りと、上記折り畳み面に平行な軸回りとに回動可能に連結されている、請求項１から請求項３のいずれかに記載のペット用排泄物処理具。
【請求項５】
上記把手連結部の上面に、Ｌ字状金具を上記平行四辺形リンク機構の折り畳み面に対して直交する軸の回りに回動可能に連結するとともに、
上記把手部を、上記Ｌ字状金具に設けた上記平行四辺形リンク機構の折り畳み面と平行な軸の回りに回動可能に連結した、請求項１から請求項４のいずれかに記載のペット用排泄物処理具。
【請求項６】
上記把手部を上記把手連結部に着脱可能に連結して構成した、請求項１又は請求項２のいずれかに記載のペット用排泄物処理具。
【請求項７】
上記把手部の下端部に、上記把手連結部を挟圧して連結される挟持部を設けた、請求項６に記載のペット用排泄物処理具。
【請求項８】
上記把手連結部を中央部において折り畳み可能に構成する一方、
上記挟持部を連結することにより、上記折り畳み動を阻止できるように構成した、請求項６又は請求項７のいずれかに記載のペット用排泄物処理具。
【考案の詳細な説明】
【技術分野】
【０００１】
本願考案は、飼犬等のペットを散歩させる場合等に使用するペット用排泄物処理具に関する。特に、非常に軽量に製作できるとともに、不使用時に小さく折り畳むことのできるペット用排泄物処理具に関する。
【背景技術】
【０００２】
犬等を散歩させる場合、飼い主は、軍手及びスコップと、ポリエチレン等の袋と、ティッシュペーパー等の紙類とを携帯し、地面に排泄された糞等の処理を行っていた。しかしながら、スコップやティッシュペーパー等を用いてペットの排泄物を完全に処理するのは困難である。すなわち、地面や芝生等に落ちた排泄物の全てを上記ティッシュペーパー等でつかみ取ることはできない。このため、地面が不衛生になり、また臭いも残る。しかも、上記作業は非常に面倒で不衛生な作業でもある。
【０００３】
上記問題を解決するため、たとえば、特開平７−８７８６１号公報に記載されている考案のように、排泄物をペットから直接受けて収容できる排泄物処理具が提案されている。
【０００４】
【特許文献１】特開平７−８７８６１
【考案の開示】
【考案が解決しようとする課題】
【０００５】
上記特許文献１に記載されているような排泄物処理具は、把手の先端に種々の手法を用いて袋部材を保持することにより構成されており、ペットの排泄時に、上記袋部材に排泄物を直接受けることができるように構成されている。
【０００６】
上記特許文献１に記載されているような従来の排泄物処理具は、袋部材を保持する部分が環状に形成されているものが多く、袋部材を開口した状態で保持できるように構成されている。ところが、上記袋部材を保持する部分を環状に形成すると、使用できる袋部材の種類や大きさが限られることが多い。また、スーパーマーケット等のレジ袋等を利用することも困難になる。
【０００７】
また、上記特許文献１に記載されているように、上記袋部材を保持する部分及び把手が固定的に構成されることが多い。また、使用者が立ったままで排泄物を処理するには、上記把手にある程度の長さが必要である。把手の長さを長くすると、使用時には便利は良いが、販売時や不使用時に嵩張り、取り扱い性が悪いという問題があった。
【０００８】
また、排泄物は必ずしも下方に落下するとは限らない。このため、袋部材を外れて上記把手の下端部等に排泄物が付着することも多かった。
【０００９】
さらに、従来の排泄物処理具では、排泄物を収容した袋部材を、開口した状態のままで持ち歩くことになるため、臭いが漏れ出るばかりでなく、体裁が良いとはいえなかった。
【００１０】
本願考案は、上記従来の問題を解決するために案出されたものであり、不使用時等に小さく折り畳むことができるとともに、種々の袋部材を使用でき、また、把手の下端部が排泄物で汚れる恐れのない排泄物処理具を提供するものである。
【課題を解決するための手段】
【００１１】
本願の請求項１に記載した考案は、先端部に挟み部を有するとともに所定間隔をあけて略平行に配置された一対の棒状部と、上記棒状部に掛け渡し状に設けられる把手連結部と、上下方向中間部ないし下端部に挟み部を備えるとともに上記把手連結部から上方に延出して設けられた把手部とを備え、上記一対の棒状部間に掛け渡し状に設置される所定の袋部材を上記挟み部によって保持できるように構成したペット用排泄物処理具に関するものである。
【００１２】
本願考案では、一対の棒状部間に、袋部材を挟み部によって保持するように構成されている。上記構成を採用することにより、上記棒状部間の距離以上の幅を有する袋部材であれば装着することができる。また、挟み部を用いて袋部材を保持するように構成しているため、装着位置や寸法を調節して袋部材を装着することができる。このため、袋部材を保持する部分を環状に形成した従来の排泄物処理具に比べて、使用できる袋部材の種類や大きさの範囲が格段に広くなり、スーパーマーケットのレジ袋や、生鮮品を収納した透明袋等を利用することが可能となる。上記挟み部の構成は特に限定されることはなく、文房具用のクリップと同様の構成や、樹脂等の弾性を利用して構成することができる。
【００１３】
また、上記挟み部を設ける位置及び数も限定されることはない。上記各棒状部の１箇所に設けることもできるし、複数の位置に挟み部を設けることもできる。
【００１４】
さらに、上記棒状部、上記把手連結部及び上記把手部は、別々の部材を組付けて構成することもできるし、樹脂等で一体成形することもできる。樹脂等で一体成形すると、一回あるいは複数回使用した後に使い捨てることができるように構成することも可能となる。たとえば、上記一対の棒状部と上記把手連結部を樹脂等で一体成形し、上記把手連結部に別途成形した把手部材を着脱可能に連結するように構成することができる。あるいは、把手部材を含む処理具の全体を樹脂等で一体成形してもよい。
【００１５】
上記一対の棒状部と上記把手連結部との形態は、特に限定されることはなく、たとえば、平面視略コ字状あるいは略Ｕ字状に形成することができる。
【００１６】
上記挟み部の形態及び構造も限定されることはない。紙挟み状のものを採用することもできるし、袋部材の縁部を係止できるフック状の挟み部を、上記棒状部に連結しあるいは一体成形することもできる。
【００１７】
さらに、本願考案では、上記把手部の中間部ないし下端部に、上記袋部材の背部を保持する挟み部を設けている。
【００１８】
上記把手部に挟み具を設けることにより、袋部材の背部を確実に保持することができる。これにより、上記袋部材を開口した状態で確実に保持できる。しかも、大きな袋部材であっても、余分な部分を背部に寄せるようにして保持することが可能となる。したがって、形態や大きさの異なる袋部材を確実に装着することができる。
【００１９】
しかも、上記把手部の中間部から下端部を袋部材で覆うようにして保持できるため、把手部に排泄物が付着する恐れがなくなり、非常に衛生的に排泄物を処理することが可能となる。上記挟み部を設ける位置は、把手部材の中間部から下端部の間にあればよい。
【００２０】
本願の請求項２に記載した考案は、上記把手部を、複数のパイプ部材を入れ子状に連結することにより伸縮可能に構成したものである。
【００２１】
上記構成を採用することにより、使用時における把手部の長さを確保できるとともに、不使用時に非常に小さく折り畳むことが可能となる。
【００２２】
本願の請求項３に記載した考案は、上記棒状部の上記把手連結部を連結した側と反対側に掛け渡し状に連結されるリンク部を備え、上記一対の棒状部と、上記把手連結部と、上記リンク部とによって折り畳み可能な平行四辺形リンク機構を構成するとともに、上記把手部が上記把手連結部に折り畳み回動可能に連結されているものである。
【００２３】
本願考案では、上記袋部材を保持する部分を折り畳み可能な平行四辺形リンク機構で構成している。上記構成を採用することにより、袋部材を保持する一対の棒状部を近接させて直線に沿うように折り畳むことが可能となる。また、上記把手部を、上記平行四辺形リンク機構を構成する把手連結部に対して折り畳み回動可能に連結している。これにより、装置の全体を上記把手部材に沿うように折り畳むことが可能となる。したがって、装置の全体を、非常にコンパクトに折り畳むことが可能となり、カバン等に入れて持ち運ぶことがきるばかりでなく、販売時等にも展示スペースを少なくすることができる。
【００２４】
しかも、使用後に、排泄部を収容した袋部材の開口部を、上記リンク機構を利用して閉じることが可能となる。このため、使用後に持ち歩いても体裁が良く、また、臭いが拡散するのを防止することもできる。
【００２５】
本願の請求項４に記載した考案は、上記把手部を、上記平行四辺形リンク機構の折り畳み面に対して直交する軸回りと、上記折り畳み面に平行な軸回りとに回動可能に連結したものである。
【００２６】
上記把手部を、上記把手連結部に対して上記２つの軸回りに折り畳み回動可能に連結することにより、上記排泄物処理具の全体を一つの直線に沿うように折り畳むことが可能となる。
【００２７】
たとえば、請求項５に記載した考案のように、上記把手連結部の上面に、Ｌ字状金具を上記平行四辺形リンク機構の折り畳み面に対して直交する軸の回りに回動可能に連結するとともに、上記把手部を、上記Ｌ字状金具に設けた上記平行四辺形リンク機構の折り畳み面と平行な軸の回りに回動可能に連結して構成することができる。
【００２８】
上記構成を採用することにより、把手部を、上記２つの軸回りに回動させることができる。これにより、上記把手部を、折り畳んだリンク機構に沿わせるように折り畳むことが可能となる。
【００２９】
本願の請求項６に記載した考案は、上記把手部を上記把手連結部に着脱可能に連結して構成したものである。
【００３０】
上記把手部と上記把手連結部とを着脱可能に連結することにより、不使用時には二つの部材に分割して持ち歩くことが可能となり、折り畳み可能に構成した場合と同様に携帯性が向上する。
【００３１】
上記把手部と上記把手連結部との連結方法は特に限定されることはない。たとえば、請求項７に記載した考案のように、上記把手部の下端部に、上記把手連結部を挟圧して連結される挟持部を設けて構成することができる。
【００３２】
たとえば、上記把手連結部を弾性的に挟圧できる断面略コ字状の樹脂製挟持部を設けることができる。弾性力を利用することにより、着脱作業を極めて容易に行うことができる。また、複雑な連結構造が不要となり、製造コストを低減させることができる。
【００３３】
本願の請求項８に記載した考案は、上記把手連結部を中央部において折り畳み可能に構成する一方、上記挟持部を連結することにより、上記折り畳み動を阻止できるように構成したものである。
【００３４】
上記把手連結部を中央部において折り畳み可能に構成することにより、棒状部を重ねるようにして折り畳むことができる。このため、持ち運び時等の収納スペースをさらに減少させることができる。しかも、上記棒状部を近接させて袋部材の開口部を閉じることができるため、臭い等が漏れ出るのを防止することもできる。
【００３５】
一方、上記把手連結部を上記挟持部で挟持することにより、使用状態において上記折り畳み回動を阻止できように構成している。このため、上記把手連結部を使用状態に保持する特別の機構が不要となり、低コストで製造することが可能となる。
【００３６】
上記把手連結部を折り畳み可能に構成する手法は特に限定されることはない。たとえば、丁板等を利用して開閉回動可能に構成することができる。また、把手連結部を樹脂で構成し、中央部に樹脂ヒンジ（インテグラルヒンジ）を一体的に設けることができる。インテグラルヒンジを採用することにより、丁番等が不要となり、部品点数を増加させることなく、折り畳み可能に構成することができる。
【考案を実施するための最良の形態】
【００３７】
以下、本願考案の実施の形態を図に基づいて具体的に説明する。
【００３８】
図１に示すように、本実施の形態に係る排泄物処理具は、袋部材１４を保持する袋部材保持部２と、上記袋部材保持部２から上方に延出する把手部材３とを備えて構成されている。
【００３９】
上記袋部材保持部２は、図２及び図３に示すように、平行状に配置された一対の棒状部材４，５と、上記棒状部材４，５の基端側上部に掛け渡し状に連結された把手連結部材６と、上記棒状部材４，５の上記把手連結部材６を連結した側と反対側に掛け渡し状に連結されるリンク部材７とを備えて構成されている。上記各部材は、これら部材を連結する各軸８，９，１０，１１回りに回動可能に連結されており、上記棒状部材４，５の基端側において、折り畳み可能な平行四辺形リンク機構が構成されている。
【００４０】
上記棒状部材４，５の先端部の外側には、挟み具１２が設けられている。上記挟み具１２は、一対の挟持片１２ａ，１２ｂをバネ１３によって弾力付勢した紙挟みクリップの形態を備えており、一方の挟持片１２ａが上記棒状部材４，５の側面に固定されている。上記挟み具１２に縁部を挟持された袋部材１４が、上記棒状部材４，５の間に掛け渡し状に保持されている。
【００４１】
図４に示すように、上記把手連結部材６の中央部には、上記把手部材３の先端部を嵌合させる嵌合穴１５と、上記把手部材３を回動可能に連結するＬ字状金具１６が設けられている。上記Ｌ字状金具１６は、上記把手連結部材６に対して、取付ボルト１７を介して、上記リンク機構の折り畳み面に直交する軸回りに回動可能に連結されている。上記把手部材３は、上記Ｌ字状金具１６に対して、上記リンク機構の折り畳み面と平行に設けられた蝶ボルト１９及びナット１８を介して回動可能に連結されている。上記把手部材３の先端部を上記嵌合穴１５に嵌合させるとともに、上記ナット１８に螺合される蝶ボルト１９を締め付けることにより、上記把手部材３と、上記把手連結部材６とが連結固定される。
【００４２】
上記把手部材３は、先端部に設けた長穴２０を介して上記蝶ボルト１９及びナット１８によって挟圧固定される。
【００４３】
したがって、上記蝶ボルト１９を緩めて、上記把手部材３の先端部を上方へ移動させて上記嵌合穴１５から離脱させることにより、上記リンク機構の折り畳み面に直交する軸と、上記リンク機構の折り畳み面に平行な軸の双方の軸回りの回動が許容される。
【００４４】
図５に示すように、上記リンク部材７は、上記把手連結部材６から後方側に所定距離をあけて、上記一対の棒状部材４，５の下側に連結されている。
【００４５】
また、上記把手部材３は、図１に示すように、３本のパイプ部材２２，２３，２４を入れ子状に連結して構成されており、図１に示す延出状態と、図５に示す収納状態とをとることができるように構成されている。また、上記把手部材３の下端部には、棒状部材４，５に設けた挟み具１２と同様の挟み具２５が設けられている。
【００４６】
図１及び図２に示すように、本実施の形態に係る排泄物処理具１においては、袋部材１４は、前方の側縁部が挟み具１２，１２に挟持されることにより、上記棒状部材４，５に掛け渡し状に保持される。また、後方縁部が上記把手部材３に設けた上記挟み具２５に挟持される。上記挟み具２５を上記把手部材３に設けることにより、多少大きな袋部材でも上記挟み具２５によって弛みがない状態で装着することが可能となる。一方、袋部材は、上記一対の棒状部材４，５に掛け渡すことができる幅があれば装着することができる。したがって、種々の大きさの袋部材を装着することが能となり、使用できる袋部材の範囲が格段に広がる。
【００４７】
しかも、図１に示すように、上記一対の棒状部材４，５のみならず、上記把手部材３の下端部から中間部を上記袋部材１４で覆うことができる。このため、排泄物が上記把手部材３に付着する恐れがなくなる。したがって、衛生的に使用することができる。なお、本実施の形態では、把手部材３の下端部近傍に上記挟み具２５を設けたが、上記大きな袋部材を装着する場合には、上記把手部材の中間部に設けることもできる。また、上下方向の異なる位置に複数の挟み具を設けることもできる。
【００４８】
図５から図９に、上記排泄物処理具１を折り畳む過程を説明する。
【００４９】
まず、図５に示すように、入れ子状に連結された３つのパイプ部材うち、最外側のパイプ部材２４に、内側のパイプ部材２３，２４を収容することにより、上記把手部材３の長さを短縮する。
【００５０】
次に、上記Ｌ字状金具に連結した蝶ボルト１９とナット１８との螺合を緩めるとともに、上記パイプ部材２２の先端部を上記嵌合穴１５から引き抜く。これにより、上記把手部材３は、上記蝶ボルト１９と上記Ｌ字状金具１６の取付ボルト１７の双方の軸回りの回動が許容される。
【００５１】
次に、に、図６に示すように、上記把手部材３を、上記蝶ボルト１９回りに上記袋部材保持部２に沿う位置まで回動させる。これより、上記各部材が上記袋部材保持部２を含む一つの平面に沿うように折り畳まれる。
【００５２】
さらに、図７に示すように、上記一対の棒状部材４，５と、上記把手連結部材６と、上記リンク部材７とから構成される平行四辺形リンク機構を変形させていく。この場合、上記Ｌ字状金具１６の上記取付ボルト１７回りの回動も許容されるため、上記把手部材３を上記一対の棒状部材４，５に沿うようにして、上記リンク機構を変形させることができる。
【００５３】
図８及び図９に、本実施の形態に係る排泄物処理具１を折り畳んだ形態を示す。これらの図に示すように、本実施の形態では、上記把手部材３と、上記一対の棒状部材４，５と、上記把手連結部材６と、上記リンク部材７とを、一つの直線に沿うようにして折り畳むことができる。このため、不使用時や店頭で販売する際に、用具の全体が非常にコンパクトな形態となる。また、携帯する場合等に、バッグ等に収容することも可能となる。
【００５４】
図１０に、本願考案の第２の実施の形態に係る排泄物処理具２０１を示す。この実施の形態に係る排泄物処理具２０１は、樹脂で一体成形された袋部材保持部２０２と、この袋部材保持部２０２に設けた嵌合穴２１５に先端部が嵌合される把手部材２０３とを備えて構成されている。
【００５５】
上記袋部材保持部２０２は、略平行に配置される一対の棒状部２０４，２０５と、これら棒状部２０４，２０５の基端部を連結するように一体成形された把手連結部２０６とを備えて構成されており、平面視略コ字状の形態を備えている。
【００５６】
上記棒状部２０４，２０５の先端側部には、挟み部２１２が一体形成されている。上記挟み部２１２は、棒状部２０４，２０５の下縁部から一体延出形成されており、上記挟み部２１２と上記棒状部外側面との間で、図示しない袋部材の縁部を上記挟み部２１２の弾力によって挟持できるように構成されている。
【００５７】
上記把手部２０３の下部には、Ｌ字フック状の挟み部２２５が一体形成されている。上記挟み部２２５に、袋部材の背部を引っ掛けるようにして保持することができる。
【００５８】
袋部材は、上記一対の挟み部２１２，２１２と上記挟み部２２５との三点において保持される。このため、袋部材を開口状態で確実に保持できるとともに、把手部２０３の下端部が排泄物で汚れる恐れもなくなる。
【００５９】
上記構成を採用することにより、部品点数を削減して製造コストを低減させ、使い捨て可能な排泄物処理具を製作することができる。
【００６０】
なお、実施の形態では、上記袋部材保持部２０２を中実の棒状に形成したが、中空の棒状あるいは下方に開口する断面Ｕ字状の形態に形成することもできる。また、袋部材保持部２０２の平面視形態も限定されることはなく、平面視略Ｃ字状や平面視Ｕ字状に形成することができる。
【００６１】
図１１から図１６に、本願考案に係る第３の実施の形態を示す。
【００６２】
これらの図に示した排泄物処理具は、把手連結部材３０６を一対の棒状部材３１４．３１５の端部に固定的に連結する一方、把手部材３０３を上記把手連結部材３０６に対して着脱可能に構成したものである。
【００６３】
本実施の形態に係る上記把手部材３０３の下端部には、上記把手連結部材３０６を上下から弾性的に挟圧できる一対の挟圧片３２１、３２２を備える挟持部３１７が設けられている。実施の形態では、上記把手部材３０３と上記挟持部３１７とを樹脂で一体成形して構成している。
【００６４】
図１２に示すように、上記挟圧片３２１、３２２の間の隙間は、上記把手連結部材３０６より小さく設定されている。上記挟持部３１７を、上記把手連結部材３０６を挟むように装着することにより、上記挟圧片３２１、３２２が弾性的に拡開させられ、この弾性力によって上記把手部材３０３と上記把手連結部材３０６とが連結される。
【００６５】
さらに、図１４に示すように、本実施の形態では、上記把手連結部材３０６を樹脂材料で形成するとともに、上記把手連結部材３０６の中央部に、部材の厚さを小さくして構成される樹脂ヒンジ部３１８（インテグラルヒンジ）が形成されている。
【００６６】
上記樹脂ヒンジ部３１８を設けることによって、挟持部３１７を連結しない状態では、上記棒状部材３１４，３１５が上記樹脂ヒンジ部３１８の回りに回動可能に連結された状態となる。
【００６７】
このため、図１５及び図１６に示すように、上記一対の棒状部材３１４，３１５を沿わせるようにして折り畳むことが可能となる。この結果、上記袋部材保持部３０２を小さく折り畳むことが可能となり、第１の実施の形態と同様に、携帯性が向上する。また、袋部材の開口部を閉じるようにして折り畳めるため、臭いが漏れ出るのを防止できる。
【００６８】
一方、上記挟持部３１７は、上記樹脂ヒンジ部３１８の挟むようにして上記把手連結部材３０６を挟圧するため、上記把手部３０３を連結した状態では、上記樹脂ヒンジ部３１８による棒状部材３１４，３１５の回動が阻止される。したがって、上記袋部材１４を開口した状態で確実に保持できる。
【００６９】
本願考案は、上述の実施の形態に限定されることはない。第１の実施の形態では、断面矩形状の部材から、平行四辺形リンク機構を構成したが、断面中空円形等の他の形態の部材を用いてリンク機構を構成することができる。
【００７０】
また、実施の形態では、一対の棒状部材４，５の先端部に、それぞれ挟み具１２を設けたが、上記棒状部材４，５に沿って複数の挟み具を設けることもできる。
【００７１】
また、第１の実施の形態では、複数のパイプ部材２２，２３，２４を入れ子状に連結して把手部３を構成したが、３つの部材を軸着して折り畳み可能に連結することもできる。
【００７２】
また、挟み具の形態も実施の形態に限定されることはなく、袋部材の縁部を係止できるものであれば、種々の形態のものを採用することができる。
【００７３】
また、第３の実施の形態において、把手連結部材３０６を中央部において折り畳み可能に構成したが、把手部を連結できれば折り畳み可能である必要はない。
【図面の簡単な説明】
【００７４】
【図１】実施の形態に係る排泄物処理具の全体側面図である。
【図２】図１に示す排泄物処理具の要部の正面図である。
【図３】図１におけるIII −III 線に沿う断面図である。
【図４】図１に示す排泄物処理具の背面図である。
【図５】折り畳み過程を示す側面図である。
【図６】折り畳み過程を示す側面図である。
【図７】折り畳み過程を示す平面図である。
【図８】折り畳み状態を示す平面図である。
【図９】折り畳み状態を示す側面図である。
【図１０】本願考案の第２の実施の形態を示す要部の斜視図である。
【図１１】本願考案の第３の実施の形態に係る排泄物処理具の全体側面図である。
【図１２】図１１における要部の一部断面図である。
【図１３】図１１に示す排泄物処理具の平面図である。
【図１４】図１１に示す排泄物処理具の要部の背面図である。
【図１５】図１１に示す排泄物処理具の折り畳み過程を示す背面図である。
【図１６】図１１に示す排泄物処理具の折り畳み状態を示す背面図である。
【符号の説明】
【００７５】
１  ペット用排泄物処理具
３  把手部材（把手部）
４  棒状部材（棒状部）
５  棒状部材（棒状部）
６  把手連結部材（把手連結部）
１２  挟み部
１４  袋部材
【図１】
0003126069.tif 000003
【図２】
0003126069.tif 000004
【図３】
0003126069.tif 000005
【図４】
0003126069.tif 000006
【図５】
0003126069.tif 000007
【図６】
0003126069.tif 000008
【図７】
0003126069.tif 000009
【図８】
0003126069.tif 000010
【図９】
0003126069.tif 000011
【図１０】
0003126069.tif 000012
【図１１】
0003126069.tif 000013
【図１２】
0003126069.tif 000014
【図１３】
0003126069.tif 000015
【図１４】
0003126069.tif 000016
【図１５】
0003126069.tif 000017
【図１６】
0003126069.tif 000018